(57)【特許請求の範囲】
【請求項１】
空気の熱を冷媒に吸熱させる空気冷媒熱交換器に送風するプロペラファンを、冷媒の熱によって水を加熱する水冷媒熱交換器の上に配置したヒートポンプ給湯室外機であって、
前記プロペラファンのモータを支持するモータ支持部材は、一対の脚部と、前記一対の脚部の下方にそれぞれ設けた固定部と、前記一対の脚部の下端部を相互に連結する連結部とを有し、
前記水冷媒熱交換器を収納するケースの上面に、前記固定部に対応する位置に設けた一対の凸部と、
前記固定部に形成された孔と、
前記凸部に設けられたネジ孔と、
を備え、
前記固定部の前記孔に通したネジを前記凸部の前記ネジ孔に対して締め付けることで前記モータ支持部材の前記固定部が前記凸部に連結固定され、
前記プロペラファンの後方に前記空気冷媒熱交換器が設置され、
前面から見て前記脚部の直下に前記固定部および前記凸部が配置され、
前記一対の脚部の間の風路の下端に相当する、前記連結部の上面が、前記固定部および前記凸部の最も高い部分より低い高さにあるヒートポンプ給湯室外機。
【請求項２】
前記固定部および前記凸部は、前面から見て、前記脚部の前面投影範囲またはその下方延長範囲に収まる請求項１記載のヒートポンプ給湯室外機。
【請求項３】
前記凸部は山型の接触面を有し、前記固定部は前記山型の接触面と接触する下向きの谷型の接触面を有し、
前記山型の接触面および前記谷型の接触面は、前記最も高い部分から前方および後方に向かって低くなるように傾斜する請求項１または２記載のヒートポンプ給湯室外機。
【請求項４】
前記固定部および前記凸部が、組み立て時に前記モータ支持部材を前記ケースの上面で位置決めするための係合部を兼ねている請求項１乃至３の何れか１項記載のヒートポンプ給湯室外機。
【請求項５】
前記ネジは、頭が前面側を向き、前面側から締め付け作業が可能である請求項１乃至４の何れか１項記載のヒートポンプ給湯室外機。
【発明の詳細な説明】
【技術分野】
【０００１】
本発明は、ヒートポンプ給湯室外機に関する。
【背景技術】
【０００２】
室外の空気の熱を吸収して湯を沸かすことのできるエネルギー効率に優れたヒートポンプ式給湯機が広く用いられている。ヒートポンプ式給湯機が備えるヒートポンプ給湯室外機には、空気の熱を冷媒に吸熱させる空気冷媒熱交換器、この空気冷媒熱交換器に送風するプロペラファン、冷媒の熱によって水を加熱する水冷媒熱交換器などが搭載されている。ヒートポンプ給湯室外機の内部には、プロペラファンのモータが、モータ支持部材により、支持、固定されている。
【０００３】
特許文献１には、空気調和機の室外機において、ファンモータを支持するモータ支持部材の下部を固定する構造の発明が開示されている。なお、同文献では「ファンモータ台２」がモータ支持部材に相当する。組立作業性を考慮した場合、モータ支持部材の下部を固定するネジは、前面側から締め付け作業を行う必要がある。特許文献１記載の構造によれば、このネジを前面側から締め付け可能になっている。
【先行技術文献】
【特許文献】
【０００４】
【特許文献１】特開２０１０−１８１０９９号公報
【発明の概要】
【発明が解決しようとする課題】
【０００５】
しかしながら、特許文献１記載の構造では、ファンモータ台２の下部の正面板１５や基板１の凸形状部７によって風路が狭められているため、ファン送風時の風路抵抗が大きいという問題がある。
【０００６】
本発明は、上述のような課題を解決するためになされたもので、プロペラファンの風路抵抗の低減することのできるヒートポンプ給湯室外機を提供することを目的とする。
【課題を解決するための手段】
【０００７】
本発明に係るヒートポンプ給湯室外機は、空気の熱を冷媒に吸熱させる空気冷媒熱交換器に送風するプロペラファンを、冷媒の熱によって水を加熱する水冷媒熱交換器の上に配置したヒートポンプ給湯室外機であって、プロペラファンのモータを支持するモータ支持部材は、一対の脚部と、一対の脚部の下方にそれぞれ設けた固定部と、一対の脚部の下端部を相互に連結する連結部とを有し、水冷媒熱交換器を収納するケースの上面に、固定部に対応する位置に設けた一対の凸部と、固定部に形成された孔と、凸部に設けられたネジ孔と、を備え、固定部の孔に通したネジを凸部のネジ孔に対して締め付けることでモータ支持部材の固定部が凸部に連結固定され、プロペラファンの後方に空気冷媒熱交換器が設置され、前面から見て脚部の直下に固定部および凸部が配置され、一対の脚部の間の風路の下端に相当する、連結部の上面が、固定部および凸部の最も高い部分より低い高さにあるものである。
【発明の効果】
【０００８】
本発明によれば、組立作業性を良好としつつ、プロペラファンの風路面積を拡大し、風路抵抗を低減することが可能となる。
【図面の簡単な説明】
【０００９】
【図１】本発明の実施の形態１のヒートポンプ給湯室外機を前面から見た外観図である。
【図２】本発明の実施の形態１のヒートポンプ給湯室外機の筐体の前面部を取り外した状態を示す前面図である。
【図３】本発明の実施の形態１のヒートポンプ給湯室外機の断面側面図である。
【図４】モータ支持部材とケースとの固定箇所を示す斜視図である。
【図５】モータ支持部材とケースとの固定箇所を示す断面側面図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１のヒートポンプ給湯室外機１を前面から見た外観図である。図２は、ヒートポンプ給湯室外機１の筐体の前面部を取り外した状態を示す前面図である。図３は、ヒートポンプ給湯室外機１の断面側面図であり、図中の右側が前、左側が後ろである。
【００１２】
これらの図に示すヒートポンプ給湯室外機１は、空気冷媒熱交換器５、圧縮機、水冷媒熱交換器６、および膨張弁を含む機器類を冷媒配管で接続した冷媒回路と、空気冷媒熱交換器５に送風するプロペラファンと、水冷媒熱交換器６を通る水回路とを搭載している。ヒートポンプ給湯室外機１の作動時には、圧縮機で圧縮された高温高圧の冷媒が、水冷媒熱交換器６で水回路の水に熱を受け渡す。これにより、水が高温の湯に沸き上げられる。水冷媒熱交換器６を出た低温中圧の冷媒は、膨張弁を通り、低温低圧の冷媒となる。この低温低圧の冷媒は、空気冷媒熱交換器５で空気の熱を吸熱して蒸発し、再び圧縮機に戻る。
【００１３】
図３に示すように、上記プロペラファンは、プロペラ２と、このプロペラ２を回転させるモータ３とを有している。このプロペラファンは、水冷媒熱交換器６の上に配置されている。プロペラファンの後方には、空気冷媒熱交換器５が設置されている。プロペラ２が回転すると、ヒートポンプ給湯室外機１の前面から後面に向かって風が送られ、空気が空気冷媒熱交換器５を通って流れる。
【００１４】
図２に示すように、水冷媒熱交換器６は、前面から見て左右方向に長い略直方体形状のケース７に収納された状態で設置されている。このケース７の上にプロペラファンが設置されている。プロペラファンのモータ３は、モータ支持部材４によって支持されている。モータ支持部材４は、一対の脚部４ａを有している。この一対の脚部４ａの下端側は、ケース７の上面に固定されている。
【００１５】
図４および図５は、それぞれ、モータ支持部材４とケース７との固定箇所を示す斜視図および断面側面図である。図５中の左側が前、右側が後ろである。図４に示すように、モータ支持部材４の一対の脚部４ａの下方には、それぞれ、固定部４ｂが設けられている。ケース７の上面には、一対の固定部４ｂと対応する位置に一対の凸部７ａが設けられている。図５に示すように、固定部４ｂには、小ネジを挿通するための孔４ｃが形成されている。凸部７ａには、固定部４ｂの孔４ｃと重なる位置にネジ孔７ｂが設けられている。ネジ孔７ｂには、雌ネジが形成されている。図４および図５は小ネジを取り付ける前の状態を示している。この状態で、孔４ｃを通して小ネジをネジ孔７ｂに螺合させ、小ネジを締め付けることにより、固定部４ｂを凸部７ａに連結固定することができる。これにより、モータ支持部材４の脚部４ａがケース７の上面に固定される。上記小ネジの頭は、前面側の斜め上方向を向く。このため、組み立て時には、前面側から上記小ネジの締め付け作業を行うことができるので、作業性に優れる。
【００１６】
図４に示すように、モータ支持部材４の一対の脚部４ａの間の空間も、プロペラファンの作動時の風路となる。本実施形態では、一対の脚部４ａの下端部は、連結部４ｄを介して相互に連結されている。一対の脚部４ａの間の風路の下端４ｅは、この連結部４ｄの上面に相当している。風路面積を拡大し、プロペラファンの作動時の風路抵抗を小さくするためには、一対の脚部４ａの間の風路の下端４ｅの位置は、なるべく低いことが望ましい。本実施形態では、前面から見て脚部４ａの直下に固定部４ｂおよび凸部７ａを配置したことにより、一対の脚部４ａの間の風路の下端４ｅの位置を十分に低くすることができる。このため、一対の脚部４ａの間の風路の下端４ｅは、固定部４ｂおよび凸部７ａの最も高い部分の高さ（図５中のＡで示す高さ）より低い高さになっている。このような構成により、プロペラファンの作動時の風路抵抗を十分に小さくすることができる。
【００１７】
特に、本実施形態では、図２に示すように、前面から見て、固定部４ｂおよび凸部７ａは、脚部４ａの前面投影範囲またはその下方延長範囲に収まっている。換言すれば、固定部４ｂおよび凸部７ａは、前面から見て、脚部４ａの幅に収まっている。このため、固定部４ｂおよび凸部７ａによって風路が狭められることがないので、風路をより広く確保することができ、風路抵抗を更に小さくすることができる。
【００１８】
また、本実施形態では、図５に示すように、ケース７の凸部７ａは山型の接触面を有しており、モータ支持部材４の固定部４ｂは凸部７ａの山型の接触面と接触する下向きの谷型の接触面を有している。このように、山型の凸部７ａに谷型の固定部４ｂが重なる構成となっていることにより、組み立て時には、凸部７ａの上に固定部４ｂを載せるだけで、固定部４ｂをケース７に対し正確に位置決めすることができる。このため、モータ支持部材４をケース７上に固定する際、モータ支持部材４を正確な位置に容易且つ迅速に位置決めすることができ、作業性に優れる。このように、本実施形態では、固定部４ｂおよび凸部７ａが、組み立て時にモータ支持部材４をケース７の上面で位置決めする（特に、前後方向の位置決め）ための係合部を兼ねる構成となっている。このため、位置決めのための係合部を一対の脚部４ａの間に別個に設ける必要がないので、そのような係合部によって風路が狭くなることがなく、風路をより広く確保することができる。
【符号の説明】
【００１９】
１    ヒートポンプ給湯室外機
２    プロペラ
３    モータ
４    モータ支持部材
４ａ  脚部
４ｂ  固定部
４ｃ  孔
４ｄ  連結部
４ｅ  風路の下端
５    空気冷媒熱交換器
６    水冷媒熱交換器
７    ケース
７ａ  凸部
７ｂ  ネジ孔
【図１】
0005648507.tif 000002
【図２】
0005648507.tif 000003
【図３】
0005648507.tif 000004
【図４】
0005648507.tif 000005
【図５】
0005648507.tif 000006